(57)【要約】【課題】壁面にヒンジを介して上下回動可能に組み付けられたテーブル板と、このテーブル板と壁面との間に連結されテーブル板を支持するシャフトとから構成されており、テーブル板が略水平となる状態でシャフトを保持させることでテーブルが使用状態となる場合であっても、見栄え良くシャフトを保持させることができる支持構造を提供することである。【解決手段】テーブル板２０と、テーブル板２０を支持するシャフト４０とから構成されたテーブル板２０の支持構造であって、シャフト４０の自由端４２ａには、テーブル板２０の裏面に形成されたガイド溝３１に挿入状態でガイド溝３１内を移動可能な曲折部４２ｂが形成されており、シャフト４０の曲折部４２ｂをガイド溝３１内に挿入したときに、シャフト４０の自由端４２ａと当接するガイド体３０の側面には、曲折部４２ｂの移動方向に沿って左右１対の第１のカム面３２が形成されている。【選択図】図１
2008296729.tif 000002
【特許請求の範囲】
【請求項１】
壁面に対して上下方向へ回動可能に組み付けられたテーブル板と、壁面とテーブル板の裏面に設けられたガイド体のガイド溝との間に連結されるとともに壁面に対して上下方向へ回動可能に組み付けられテーブル板を支持するシャフトとから構成されており、このテーブル板が略水平となる状態でシャフトの回動を保持させてテーブルを使用するテーブル板の支持構造であって、
シャフトは、略コ字状に形成された剛性棒部材であり、壁面に対して上下方向へ回動可能に組み付けられる回動軸部と、この回動軸部の両端に延設された左右１対の支持部とからなっており、
この両支持部の自由端には、ガイド溝に挿入され、その挿入状態でガイド溝内を移動可能な曲折部がそれぞれ形成されており、
シャフトの両曲折部をガイド溝内に挿入したときに、シャフトの両自由端と当接するガイド体の両側面には、両曲折部の移動方向に沿って左右１対の第１のカム面が形成されており、
テーブル板を下方向から略水平となる状態へ回動させていくと、シャフトの両曲折部はガイド溝内をテーブル板の回動支点側の端部へ向けて移動していき、
この移動に伴って、シャフトの両自由端はガイド体の第１のカム面に押し圧されながら互いに遠ざかる方向または互いに近づく方向へ撓ませられ、
テーブル板が略水平となる状態に到達すると、シャフトの両自由端の撓みが解消され、
この撓みの解消に伴って、壁面に対するシャフトの回動は保持されることを特徴とするテーブル板の支持構造。
【請求項２】
請求項１に記載のテーブル板の支持構造であって、
ガイド体のガイド溝は、テーブル板が略水平となる状態から壁面に対して略平行となる状態までの回動に応じたシャフトの両曲折部の移動を許容可能に形成されており、
これら両状態の中間状態において、対応するシャフトの両自由端に生じる撓みが最大となるように、且つ、これら両状態から中間状態への途中状態において、対応するシャフトの両自由端に生じる撓みが増加していくようにカム面が設定されていることを特徴とするテーブル板の支持構造。
【請求項３】
請求項１〜２のいずれか１項に記載のテーブル板の支持構造であって、
ガイド体には、テーブル板が略水平となる状態からさらに上方向へ回動したときに対応するシャフトの両曲折部のさらなる移動を許容するガイド溝を有する逃がし体が延設されており、この逃がし体の両側面には、シャフトの両自由端に撓みを生じさせる左右１対の第２のカム面が形成されていることを特徴とするテーブル板の支持構造。
【発明の詳細な説明】
【技術分野】
【０００１】
本発明は、テーブル板の支持構造に関し、詳しくは、壁面に対して上下方向へ回動可能に組み付けられたテーブル板の支持構造に関する。
【背景技術】
【０００２】
この種のテーブルとして、例えば、特許文献１に関する技術が既に知られている。この技術では、テーブルは、その一端が座席のシートバックの背面にヒンジを介して上下回動可能に組み付けられ所望する物品を載置可能なテーブル板と、このテーブル板の裏面に設けられたレール部のガイド溝とシートバックの背面との間に連結されテーブル板を支持するシャフトとから主として構成されている。そして、テーブル板が略水平となる状態でシャフトを保持させてテーブルは使用されている。
【特許文献１】特開２００２−３６９３０号公報
【発明の開示】
【発明が解決しようとする課題】
【０００３】
しかしながら、上述したシャフトの保持は、シートバックの背面に取り付けられたカム部材によって行われている。そのため、テーブル板を略水平の使用状態にしたときにカム部材が露出することとなり、使用者にとって見栄えが悪い状態となっていた。
【０００４】
本発明は、このような課題を解決しようとするもので、その目的は、壁面にヒンジを介して上下回動可能に組み付けられたテーブル板と、このテーブル板と壁面との間に連結されテーブル板を支持するシャフトとから構成されており、テーブル板が略水平となる状態でシャフトを保持させることでテーブルが使用状態となる場合であっても、見栄え良くシャフトを保持させることができる支持構造を提供することである。
【課題を解決するための手段】
【０００５】
本発明は、上記の目的を達成するためのものであって、以下のように構成されている。
請求項１に記載の発明は、壁面に対して上下方向へ回動可能に組み付けられたテーブル板と、壁面とテーブル板の裏面に設けられたガイド体のガイド溝との間に連結されるとともに壁面に対して上下方向へ回動可能に組み付けられテーブル板を支持するシャフトとから構成されており、このテーブル板が略水平となる状態でシャフトの回動を保持させてテーブルを使用するテーブル板の支持構造であって、シャフトは、略コ字状に形成された剛性棒部材であり、壁面に対して上下方向へ回動可能に組み付けられる回動軸部と、この回動軸部の両端に延設された左右１対の支持部とからなっており、この両支持部の自由端には、ガイド溝に挿入され、その挿入状態でガイド溝内を移動可能な曲折部がそれぞれ形成されており、シャフトの両曲折部をガイド溝内に挿入したときに、シャフトの両自由端と当接するガイド体の両側面には、両曲折部の移動方向に沿って左右１対の第１のカム面が形成されており、テーブル板を下方向から略水平となる状態へ回動させていくと、シャフトの両曲折部はガイド溝内をテーブル板の回動支点側の端部へ向けて移動していき、この移動に伴って、シャフトの両自由端はガイド体の第１のカム面に押し圧されながら互いに遠ざかる方向または互いに近づく方向へ撓ませられ、テーブル板が略水平となる状態に到達すると、シャフトの両自由端の撓みが解消され、この撓みの解消に伴って、壁面に対するシャフトの回動は保持されることを特徴とする。
この構成によれば、従来技術と同様に、テーブル板が略水平となる状態でシャフトの回動を保持させてテーブルを使用することができる。このとき、シャフトの回動を保持させるカム面はテーブル板の裏面、すなわち、使用者にとって死角となる位置に設けられている。そのため、シャフトの回動を保持させる支持構造の見栄えを向上させることができる。
【０００６】
また、請求項２に記載の発明は、請求項１に記載のテーブル板の支持構造であって、ガイド体のガイド溝は、テーブル板が略水平となる状態から壁面に対して略平行となる状態までの回動に応じたシャフトの両曲折部の移動を許容可能に形成されており、これら両状態の中間状態において、対応するシャフトの両自由端に生じる撓みが最大となるように、且つ、これら両状態から中間状態への途中状態において、対応するシャフトの両自由端に生じる撓みが増加していくようにカム面が設定されていることを特徴とする。
この構成によれば、テーブルの収納状態においてもテーブルの使用状態と同様にシャフトの回動状態を保持させることができる。そのため、シャフトの回動を保持するロック部材を必要とすることなく、テーブルを収納状態で保持させることができる。
【０００７】
また、請求項３に記載の発明は、請求項１〜２のいずれか１項に記載のテーブル板の支持構造であって、ガイド体には、テーブル板が略水平となる状態からさらに上方向へ回動したときに対応するシャフトの両曲折部のさらなる移動を許容するガイド溝を有する逃がし体が延設されており、この逃がし体の両側面には、シャフトの両自由端に撓みを生じさせる左右１対の第２のカム面が形成されていることを特徴とする。
この構成によれば、テーブル板が使用状態からさらに上方向へ過剰な負荷を受けた場合でも、シャフトの両自由端はガイド溝内を移動できるため、テーブル板を使用状態からさらに上方向へ回動させることができる。そのため、テーブル板が破損してしまうことがない。このとき、第２のカム面は昇り傾斜となっているため、シャフトの両自由端はカム面に押圧されていき、この両自由端は互いに遠ざかる方向へ撓ませられていく。これにより、テーブル板が使用状態からさらに上方向へ過剰な負荷を受けた場合、その過剰な負荷をシャフトの両自由端の撓み力によって吸収できる。
【発明を実施するための最良の形態】
【０００８】
以下、本発明を実施するための最良の形態を、図面を用いて説明する。
（実施例１）
本発明の実施例１を、図１〜９を用いて説明する。
図１は、本発明の実施例１に係るテーブルの後方斜視図である。図２は、図１のテーブル板の裏面を示す図である。図３は、図１のシャフトを示す図である。図４は、図１のテーブルの側面図であり、シャフトの自由端の移動に対応したテーブル板の状態を示す図である。図５は、図４のＡ−Ａ線断面図である。図６〜９は、図４のテーブル板の各状態に対応した前方斜視図である。なお、これら図６〜９では、テーブルの状態を見易くするため、シートバックの記載を省略している。
【０００９】
まず、本発明の実施例１に係るテーブルの構成を説明する。図１に示すように、テーブルは、主としてテーブル板２０とシャフト４０とから構成されている。以下に、これら各構成部材であるテーブル板２０とシャフト４０とを個別に説明していく。
【００１０】
はじめに、テーブル板２０を説明する。図２に示すように、テーブル板２０は、概略矩形状の板部材であり、例えば、樹脂成形品から成形されている。図１に戻って、テーブル板２０の裏面の幅方向における中央には、略コ字状からなる左右１対のガイド体３０（３０ａ、３０ｂ）が、テーブル板２０の幅方向に対して垂直に設けられている。このとき、ガイド体３０の略コ字の各自由端が、テーブル板２０の裏面と接合するようにガイド体３０は設けられている。これにより、テーブル板２０の裏面とガイド体３０との間にそれぞれ隙が生じることになる。これらの両隙が、後述するガイド溝３１（３１ａ、３１ｂ）である。
【００１１】
図２に戻って、ガイド体３０の左右側面には、その長手方向に対して垂直方向に向けて盛り上がるように左右１対の第１のカム面３２（３２ａ、３２ｂ）がそれぞれ形成されている。この第１のカム面３２について詳述すると、第１のカム面３２は、ガイド体３０の長手方向において、その中心部とテーブル板２０の回動支点側の端部（以下、「収納側端部」と記す）との間、すなわち、図２において、ガイド体３０の長手方向における下半分に設けられている。これら中心部と収納側端部とが、カム面３２を形成する盛り上がりの両基端となる。以降、これら両基端を、第１の基端３３（３３ａ、３３ｂ）、第２の基端３４（３４ａ、３４ｂ）とそれぞれ記す。また、第１のカム面３２の盛り上がりの頂上部を第１の頂端３５（３５ａ、３５ｂ）と記す。
【００１２】
次に、シャフト４０を説明する。図３に示すように、シャフト４０は、回動軸部４１と両支持部４２とからなる概略コ字状の棒部材であり、例えば、金属（例えば、ＳＵＳ）からなる丸棒を折り曲げて成形されている。また、両支持部４２の先端である自由端４２ａには、互いに近づく方向へ向けて曲折部４２ｂがそれぞれ形成されている。
【００１３】
続いて、図１に戻って、上述したテーブル板２０とシャフト４０とから構成されるテーブルの組み立て方法を説明する。まず、テーブル板２０の裏面の一端を、左右１対からなるヒンジ１１、１１を介して車両（図示しない）の座席のシートバックの背面１０の所定の位置に組み付ける。これにより、テーブル板２０は、その幅方向を軸方向とする軸心回りの上下方向に回動可能となっている。
【００１４】
次に、シャフト４０の回動軸部４１を、座金１２を介してシートバックの背面１０の所定個所に組み付ける。これにより、シャフト４０は、テーブル板２０の回動と同様に、回動軸部４１の軸心回りの上下方向に回動可能となっている。その後、シャフト４０の両曲折部４２ｂを互いに遠ざかる方向へ撓ませてテーブル板２０の裏面の両ガイド溝３１にそれぞれ挿入させる。このようにして、テーブルは組み立てられる。
【００１５】
また、シートバックの背面１０には、テーブルの使用状態においてシャフト４０の両支持部４２を挟持するロック部材１３が設けられている。このロック部材１３について詳述すると、図５に示すように、ロック部材１３は、概略コ字状の弾性部材から構成されており、例えば、板バネから構成されている。この概略コ字状をなす１対の対向片１３ａの両内面には、シャフト４０の両支持部４２の外周面を挟持可能な凹部１３ｂがそれぞれ形成されている。そして、テーブルの使用状態において両支持部４２が両凹部１３ｂに位置することで、両支持部４２が両対向片１３ａに挟持されることになり、この挟持によってシャフト４０はロック状態となる。
【００１６】
続いて、上述したテーブルの動作を説明する。
まず、テーブルを使用する場合、すなわち、テーブルを収納状態から使用状態へと移行させる場合を説明する。収納状態とは、テーブル板２０がシートバックの背面１０に対して略平行な状態であり、図４の（１）に示す状態および図６に示す状態である。一方、使用状態とは、テーブル板２０が略水平な状態であり、図４の（４）に示す状態および図９に示す状態である。この収納状態では、シャフト４０の両曲折部４２ｂは、両ガイド溝３１内において収納側端部と反対側の端部（以下、「使用側端部」と記す）、すなわち、図２において上端部（図２の（１）に示す状態）に位置している。
【００１７】
使用者は、テーブル板２０を上方向へ持ち上げるように回動操作する。すると、この回動操作に伴って、シャフト４０も上方向へ回動されるとともに、シャフトの曲折部４２ｂはガイド体３０のガイド溝３１内をテーブル板２０の回動支点側の端部の方向、すなわち、図２において下方向へ移動していく。このとき、シャフト４０の両自由端４２ａは、ガイド体３０の両側面に摺動する格好で移動していく。
【００１８】
シャフト４０の両自由端４２ａが第１の基端３３に到達（図２の（２）に示す状態）するまでテーブル板２０を回動させると（図４の（２）に示す状態および図７に示す状態）、そこからはカム面３２が昇り傾斜となっている。これにより、シャフト４０の両自由端４２ａはカム面３２に押圧されていき、両自由端４２ａは互いに遠ざかる方向へ撓ませられていく。そのため、シャフト４０の両自由端４２ａが第１の基端３３を過ぎると、テーブル板２０を上方向へ回動させるために使用者はシャフト４０の両自由端４２ａを撓ませなければいけない。したがって、使用者にとって大きな力が必要となる。
【００１９】
さらに、シャフト４０の両自由端４２ａが第１の頂端３５に到達（図２の（３）に示す状態）するまでテーブル板２０を回動させると（図４の（３）に示す状態および図８に示す状態）、そこからはカム面３２が降り傾斜となっている。これにより、シャフト４０の両自由端４２ａはカム面３２からの押圧が解消されていき、両自由端４２ａの撓みは解消されていく。このとき、撓みの復元力は、テーブル板２０を上方向へ回動させるように作用している。そのため、シャフト４０の両自由端４２ａが頂端３５を過ぎると、テーブル板２０を上方向へ回動させるために使用者の力は殆ど不要となる。
【００２０】
そして、シャフト４０の両自由端４２ａが第２の基端３４に到達（図２の（４）に示す状態）すると、シャフト４０の両自由端４２ａの撓みは完全に解消され、テーブル板２０は使用状態（図４の（４）に示す状態および図９に示す状態）となる。このとき、シャフト４０の両自由端４２ａは、カム面３２によって戻る動きを規制された状態となっている。これにより、シャフト４０の回動状態が保持されることになり、結果としてテーブル板２０の使用状態が保持される。このとき、既に説明したロック部材１３によってシャフト４０の両支持部４２はロック状態となっている。そのため、テーブル板２０の使用状態において、ガタが生じることがない。
【００２１】
次に、テーブルを収納する場合を説明する。この場合、使用者は上述した操作と逆の操作を行うことになる。使用者は、テーブル板２０を下方向へ押し下げるように回動操作する。すると、この回動操作に伴って、シャフト４０も下方向へ回動されるとともに、シャフトの曲折部４２ｂはガイド体３０のガイド溝３１内を収納側端部の方向、すなわち、図２において上方向へ移動していく。
【００２２】
このとき、シャフト４０の両自由端４２ａが頂端３５に到達するまでの間は、上述したテーブルの使用操作の説明のうち、シャフト４０の両自由端４２ａが第１の基端３３から頂端３５に到達するまでの間の説明と同様に、テーブル板２０を下方向へ回動させるために使用者にとって大きな力が必要となる。この記載からも明らかなように、テーブル板２０の積載荷重が、この大きな力より小さければテーブルは使用状態に保持され、逆に、この大きな力より大きければテーブルの使用状態は解除されてしまう。
【００２３】
さらに、シャフト４０の両自由端４２ａが第１の頂端３５を過ぎて第１の基端３３に到達するまでの間は、上述したテーブル使用操作の説明のうち、シャフト４０の両自由端４２ａが第１の頂端３５から第２の基端３４に到達するまでの間の説明と同様に、テーブル板２０を下方向へ回動させるために力は殆ど不要となる。そして、シャフト４０の両自由端４２ａが第１の頂端３５を過ぎて収納側端部に到達するまでの間は、テーブル板２０は自重によって下方向へ回動していく。このようにしてテーブル収納状態へと戻される。
【００２４】
本発明の実施例１に係るテーブルは、上述したように構成されている。この構成によれば、従来技術と同様に、テーブル板２０が略水平となる状態でシャフト４０の回動を保持させてテーブルを使用することができる。このとき、シャフト４０の回動を保持させるカム面３２はテーブル板２０の裏面、すなわち、使用者にとって死角となる位置に設けられている。そのため、シャフト４０の回動を保持させる支持構造の見栄えを向上させることができる。
【００２５】
（実施例２）
本発明の実施例２を、図１０〜１１を用いて説明する。
図１０は、本発明の実施例２に係るテーブル板の裏面を示す図である。図１１は、本発明の実施例２に係るテーブルの側面図であり、シャフトの自由端の移動に対応したテーブル板の状態を示す図である。なお、以下の説明にあたって実施例１の説明と同一もしくは均等な構成の部材には、図面において同一符号を付すことで重複する説明は省略する。このことは、後述する実施例３以降においても同様である。
【００２６】
この実施例２は、既に説明した実施例１と比較すると、テーブル板２０の裏面に設けられたガイド体３０の側面に形成の第１のカム面３２の形状が相違する。図１０からも明らかなように、この実施例２では、ガイド体３０の左右側面の全てが第１のカム面３２となっている。この第１のカム面３２を詳述すると、第１の基端３３は、ガイド体３０の収納側端部に形成されている。また、第１の頂端３５は、ガイド体３０の長手方向の中心部に形成されている。なお、第２の基端３４は、実施例１の説明と同じ位置に設けられている。そして、実施例１と同様に、シャフト４０の両自由端４２ａ、は第１の基端３３（図１０の（１）に示す状態）〜第１の頂端３５（図１０の（２）に示す状態）〜第２の基端３４（図１０の（３）に示す状態）へと往復動作可能となっている。
【００２７】
本発明の実施例２に係るテーブルは、上述したように構成されている。この構成によれば、実施例１の説明と同様にテーブル板２０を上下回動させてテーブルを使用することができる（図１１の（１）、（２）、（３）に示す状態）。また、この構成によれば、テーブルの収納状態においてもテーブルの使用状態と同様にシャフト４０の回動状態を保持させることができる。そのため、シャフト４０の回動を保持するロック部材を必要とすることなく、テーブルを収納状態で保持させることができる。
【００２８】
（実施例３）
本発明の実施例３を、図１２〜１４を用いて説明する。
図１２は、本発明の実施例３に係るテーブル板の裏面を示す図である。図１３は、本発明の実施例３に係るテーブルの側面図であり、シャフトの自由端の移動に対応したテーブル板の状態を示す図である。図１４は、図１３のＢ−Ｂ線断面図である。
【００２９】
この実施例３は、既に説明した実施例２と比較すると、テーブル板２０の裏面に設けられたガイド体３０の側面に形成の第１のカム面３２の形状が相違する。図１２からも明らかなように、この実施例３のガイド体３０には、テーブル板２０が略水平状態からさらに上方向へ回動した場合でも、シャフト４０の両曲折部４２ｂの移動を許容するガイド溝３１を有する逃がし体３６（３６ａ、３６ｂ）が延設されている。そして、逃がし体３６の左右側面には、シャフト４０の両自由端４２ａに撓みを生じさせる左右１対の第２のカム面３７（３７ａ、３７ｂ）が第１のカム面３２から延設される格好で形成されている。この第２のカム面３７の盛り上がりの頂上部を第２の頂端３８（３８ａ、３８ｂ）と記す。
【００３０】
そして、実施例２と同様に、シャフト４０の両自由端４２ａは、第１の基端３３（図１２の（１）に示す状態）〜第１の頂端３５（図１２の（２）に示す状態）〜第２の基端３４（図１２の（３）に示す状態）〜第２の頂端３８（図１２の（４）に示す状態）へと往復動作可能となっている。
【００３１】
本発明の実施例３に係るテーブルは、上述したように構成されている。この構成によれば、実施例２と同様にテーブル板２０を上下回動させてテーブルを使用することができる（図１３の（１）、（２）、（３）に示す状態）。また、この構成によれば、テーブル板２０が使用状態からさらに上方向へ過剰な負荷を受けた場合でも、シャフト４０の両自由端４２ａは第２の基端３４（図１２の（３）に示す状態）から第２の頂端３８（図１２の（４）に示す状態）へと移動できるため、テーブル板２０を使用状態からさらに上方向へ回動させることができる。そのため、テーブル板２０が破損してしまうことがない。
【００３２】
このとき、第２のカム面３７は昇り傾斜となっているため、シャフト４０の両自由端４２ａはカム面３２に押圧されていき、この両自由端４２ａは互いに遠ざかる方向へ撓ませられていく。これにより、テーブル板２０が使用状態からさらに上方向へ過剰な負荷を受けた場合、その過剰な負荷をシャフト４０の両自由端４２ａの撓み力によって吸収できる。もちろん、この過剰な負荷が解消されると、テーブル板２０は、その自重とともにシャフト４０の両自由端４２ａの撓みの復元力によって下方向へと回動していき使用状態へと戻される。
【００３３】
また、このとき、図１４からも明らかなように、シャフト４０の両支持部４２は、ロック部材１３の両凹部１３ｂから脱落する格好で対向片１３ａの基端側へ向けて移動していく。このように、テーブル板２０が使用状態からさらに上方向へ過剰な負荷を受けた場合、対向片１３ａは互いに遠ざかる方向へ撓むことができるため、ロック部材１３が破損してしまうことがない。例えば、ロック部材がシャフト４０の回動を完全にロックしてしまうタイプの構成であれば、テーブル板２０が使用状態からさらに上方向へ過剰な負荷を受けた場合、ロック部材が破損してしまうといった事態が発生する。しかし、このタイプのロック部材であれば、破損してしまうといった事態が生じることはない。
【００３４】
（実施例４）
本発明の実施例４を、図１５〜１６を用いて説明する。
図１５は、本発明の実施例４に係るテーブル板の裏面を示す図である。図１６は、本発明の実施例４に係るシャフトを示す図である。
【００３５】
この実施例４は、既に説明した実施例１と比較すると、テーブル板２０の裏面に設けられたガイド体３０に形成された第１のカム面３２の形成部位が相違する。すなわち、実施例１では、ガイド体３０の側面のうち、外面側の側面に第１のカム面３２が形成されていた。これに対し、図１５からも明らかなように、この実施例４では、ガイド体３０の側面のうち、内面側の側面に第１のカム面３２が形成されている。そして、内面側に形成された第１のカム面３２に対応するように、シャフト４０の両曲折部４２ｂは、互いに遠ざかる方向へ向けて形成されている（図１６参照）。
【００３６】
本発明の実施例４に係るテーブルは、上述したように構成されている。この構成によれば、実施例１と同様にテーブル板２０を上下回動させてテーブルを使用することができる。また、この実施例４のように第１のカム面３２が内面側に形成されている場合でも、既に説明した実施例２および実施例３の構成を追加することができる。
【００３７】
上述した内容は、あくまでも本発明の一実施の形態に関するものであって、本発明が上記内容に限定されることを意味するものではない。
各実施例では、テーブル板２０とシャフト４０を壁面に組み付ける例として、シートバックの背面１０に組み付ける構成を例に説明した。しかし、これに限定されるものでなく、車両のインストルメントパネルの内面に組みつけても構わない。
【図面の簡単な説明】
【００３８】
【図１】図１は、本発明の実施例１に係るテーブルの後方斜視図である。
【図２】図２は、図１のテーブル板の裏面を示す図である。
【図３】図３は、図１のシャフトを示す図である。
【図４】図４は、図１のテーブルの側面図であり、シャフトの自由端の移動に対応したテーブル板の状態を示す図である。
【図５】図５は、図４のＡ−Ａ線断面図である。
【図６】図６は、図４のテーブル板の（１）の状態に対応した前方斜視図である。
【図７】図７は、図４のテーブル板の（２）の状態に対応した前方斜視図である。
【図８】図８は、図４のテーブル板の（３）の状態に対応した前方斜視図である。
【図９】図９は、図４のテーブル板の（４）の状態に対応した前方斜視図である。
【図１０】図１０は、本発明の実施例２に係るテーブル板の裏面を示す図である。
【図１１】図１１は、本発明の実施例２に係るテーブルの側面図であり、シャフトの自由端の移動に対応したテーブル板の状態を示す図である。
【図１２】図１２は、本発明の実施例３に係るテーブル板の裏面を示す図である。
【図１３】図１３は、本発明の実施例３に係るテーブルの側面図であり、シャフトの自由端の移動に対応したテーブル板の状態を示す図である。
【図１４】図１４は、図１３のＢ−Ｂ線断面図である。
【図１５】図１５は、本発明の実施例４に係るテーブル板の裏面を示す図である。
【図１６】図１６は、本発明の実施例４に係るシャフトを示す図である。
【符号の説明】
【００３９】
１０    シートバックの背面（壁面）
２０    テーブル板
３０    ガイド体
３１    ガイド溝
３２    第１のカム面
３６    逃がし体
３７    第２のカム面
４０    シャフト
４１    回動軸部
４２    支持部
４２ａ  自由端
４２ｂ  曲折部
【図１】
2008296729.tif 000003
【図２】
2008296729.tif 000004
【図３】
2008296729.tif 000005
【図４】
2008296729.tif 000006
【図５】
2008296729.tif 000007
【図６】
2008296729.tif 000008
【図７】
2008296729.tif 000009
【図８】
2008296729.tif 000010
【図９】
2008296729.tif 000011
【図１０】
2008296729.tif 000012
【図１１】
2008296729.tif 000013
【図１２】
2008296729.tif 000014
【図１３】
2008296729.tif 000015
【図１４】
2008296729.tif 000016
【図１５】
2008296729.tif 000017
【図１６】
2008296729.tif 000018